(57)【要約】【課題】増設ユニットの第１搬送経路の幅方向における基準位置と、増設ユニットの上面に設けられる画像形成装置本体、又は、他の増設ユニットの搬送経路の幅方向における基準位置とのずれを、調整することが可能な増設ユニットを提供する。【解決手段】台座６２には、画像形成装置本体３の下側に設けられた第２位置決め部３７と互いに固定される第１位置決め部６１が設けられる。第１基準面は、第１搬送経路の幅方向の所定位置である基準位置を通り且つ、第１搬送経路の幅方向に直交する面である。第１位置決め部６１は、第１基準面から第１距離離間した位置に位置する。第１シート収容部位置調整部７は、幅方向に沿って側面６３を貫通し一端側が筐体４１の側面と固定される棒状部材を有し、棒状部材を幅方向に移動させることにより、第１位置決め部６１の位置を、幅方向に移動可能とする。【選択図】図３
2018104159.tif 000002
【特許請求の範囲】
【請求項１】
筐体、開口及び第１搬送経路を有し、前記筐体に前記開口が設けられ、前記筐体内に前記第１搬送経路が設けられ、前記第１搬送経路の終端に前記開口が配置される、シート収容部と、
台座と、側面とを有する支持部であって、前記台座は、前記筐体の上側に設けられ、前記開口を除く前記筐体の上部の少なくとも一部を覆い且つ、画像形成装置本体又は他の増設ユニットの下部が当接し、前記側面は、前記台座と固定され、前記筐体の側面に面する支持部と、
を備え、
前記台座には、前記画像形成装置本体又は前記他の増設ユニットの下側に設けられた位置決め部と互いに固定される、第１位置決め部が設けられ、
前記第１搬送経路の幅方向の所定位置である基準位置を通り且つ、第１搬送経路の幅方向に直交する面を第１基準面とすると、
前記第１位置決め部は、前記第１基準面から第１距離離間した位置に位置し、
更に、
前記幅方向に沿って前記側面を貫通し一端側が前記筐体の側面と固定される棒状部材を有し、前記棒状部材を前記幅方向に移動させることにより、前記第１位置決め部の位置を、前記幅方向に移動可能とする第１シート収容部位置調整部を備える、
増設ユニット。
【請求項２】
筐体、開口及び第１搬送経路を有し、前記筐体に前記開口が設けられ、前記筐体内に前記第１搬送経路が設けられ、前記第１搬送経路の終端に前記開口が配置される、シート収容部と、
前記筐体の上側に設けられ、前記開口を除く前記筐体の上部の少なくとも一部を覆い且つ、画像形成装置本体又は他の増設ユニットの下部が当接する台座を有し、前記筐体とは別体に設けられ且つ、前記筐体を包含し、前記台座が上面となる第２筐体と、
を備え、
前記台座には、前記画像形成装置本体又は前記他の増設ユニットの下側に設けられた位置決め部と互いに固定される、第１位置決め部が設けられ、
前記第１搬送経路の幅方向の所定位置である基準位置を通り且つ、第１搬送経路の幅方向に直交する面を第１基準面とすると、
前記第１位置決め部は、前記第１基準面から第１距離離間した位置に位置し、
更に、
前記幅方向に沿って前記第２筐体の側面を貫通し一端側が前記筐体の側面と固定される第２棒状部材を有し、前記第２棒状部材を前記幅方向に前記筐体に対して相対的に移動させることにより、前記幅方向に前記筐体を移動可能とする第２シート収容部位置調整部を備える、
増設ユニット。
【請求項３】
請求項１記載の増設ユニットであって、
前記第１シート収容部位置調整部は、前記幅方向に沿って前記側面を貫通する螺子であって、
更に、
前記螺子が貫通する前記側面と異なる側面を貫通して前記シート収容部を固定する固定螺子を有する、
増設ユニット。
【請求項４】
請求項２記載の増設ユニットであって、
前記第２シート収容部位置調整部は、前記幅方向に沿って前記第２筐体を貫通する螺子であって、
更に、
前記第２筐体の前記螺子が貫通する側面と異なる側面を貫通して前記シート収容部を固定する固定螺子を有する、
増設ユニット。
【請求項５】
請求項３又は請求項４記載の増設ユニットと、前記増設ユニットの前記台座に置かれる画像形成装置本体とを備える画像形成装置であって、
前記画像形成装置本体は、
底面に本体側の開口が設けられ、シートが搬送される搬送経路である第２搬送経路の始端が前記開口である本体筐体と、
前記第２搬送経路の所定位置に位置する画像形成部と、
を備え、
前記本体筐体の前記底面には、前記第２搬送経路の幅方向の所定位置である基準位置を通り且つ、前記第２搬送経路の幅方向に直交する面である第２基準面から第２距離離間した位置に、前記第１位置決め部と互いに固定される、第２位置決め部が設けられる、
画像形成装置。
【請求項６】
請求項５記載の画像形成装置であって、
更に、
前記シート収容部の下部にシート収容部のみで構成される第２増設ユニットが複数段、設けられる画像形成装置。
【請求項７】
請求項６記載の画像形成装置において、前記画像形成装置本体と前記第２増設ユニットと前記増設ユニットの各搬送経路の幅方向の基準位置を調整する調整方法であって、
前記増設ユニットと前記増設ユニットの下側に設けられた前記第２増設ユニットとの各基準面のずれ量を決定する増設ユニット間ずれ決定工程と、
前記第２増設ユニットと前記増設ユニットとがいずれの幅方向にずれているか否かを決定するずれ方向決定工程と、
前記螺子を用いて、前記ずれ方向決定工程で決定されたずれ方向とは逆方向に、前記増設ユニット間ずれ決定工程にて決定された前記ずれ量分、変位させる変位工程と、
からなる基準位置調整方法。
【発明の詳細な説明】
【技術分野】
【０００１】
本発明は、上面に画像形成装置本体又は他の増設ユニットが着脱可能に固定され、シートを収容するシート収容部を有する増設ユニット及びそれを備えた画像形成装置に関する。また本発明は、画像形成装置における基準位置調整方法に関する。
【背景技術】
【０００２】
従来、画像形成装置本体の下部にシート収容部を有する増設ユニットが装着される。更に、画像形成装置本体の下部に装着された増設ユニットの下部に、別の増設ユニットが複数、装着される場合がある。画像形成装置本体と増設ユニット、増設ユニットと他の増設ユニットは、それぞれ位置決め部を有する。例えば、画像形成装置本体と増設ユニットとは、それぞれの位置決め部が互いに嵌合することによって固定される。増設ユニットと他の増設ユニットとは、それぞれの位置決め部が互いに嵌合することによって固定される（特許文献１参照）。
【０００３】
増設ユニットが装着された画像形成装置では、増設ユニットが有するシート収容部に収容されるシートが増設ユニット内の第１搬送経路、増設ユニットの上面に設けられた開口、画像形成装置本体の下部に設けられた開口、画像形成装置内の第２搬送経路の順番で搬送される。シートは、例えば、増設ユニットの第１搬送経路の幅方向の中心である第１搬送中心、画像形成装置本体の第２搬送経路の幅方向の中心である第２搬送中心、をそれぞれ通って、第１搬送経路、第２搬送経路を搬送される。そして、画像形成装置が有する画像形成部によって、搬送されるシートに画像形成が行われる。
【０００４】
第１搬送中心を通り、かつ、第１搬送経路の幅方向に直交する面を第１基準面とすると、位置決め部は、第１基準面から一定距離離間した位置に設けられていた。また、第２搬送中心を通り、かつ、第２搬送経路の幅方向に直交する面を第２基準面とすると、画像形成装置本体の下面に設けられる位置決め部は、第２基準面から一定距離離間した位置に設けられていた。
【先行技術文献】
【特許文献】
【０００５】
【特許文献１】特開２００６−９６４５６号公報
【発明の概要】
【発明が解決しようとする課題】
【０００６】
増設ユニットの汎用性を担保するため、増設ユニットの上面に設けられる位置決め部から第１基準面までの距離と、画像形成装置の下面に設けられる位置決め部から第２基準面までの距離を一致させることが望ましい。
【０００７】
しかしながら、増設ユニットを構成する各部品や画像形成装置本体を構成する各部品がそれぞれ持つ部品公差や、増設ユニットと画像形成装置とが装着された際のガタなどによって生じる組み付け誤差の為、第１基準面に対する第２基準面の相対位置が一致せずにずれる場合がある。このような問題は、増設ユニットの下に他の増設ユニットが装着される際においても、同様な場合がある。
【０００８】
第１基準面に対する第２基準面の相対位置がずれる、すなわち、第１搬送経路の幅方向の中心である第１搬送中心と、第２搬送経路の幅方向の中心である第２搬送中心との相対位置がずれると、第２搬送経路においてシートが幅方向にずれて搬送されることになり、画像形成部が画像形成する規定位置からずれてしまうという問題があった。
【０００９】
本発明は、増設ユニットの第１搬送経路の幅方向における基準位置と、増設ユニットの上面に設けられる画像形成装置本体、又は、他の増設ユニットの搬送経路の幅方向における基準位置とのずれを、調整することが可能な増設ユニットを提供することを目的とする。
【課題を解決するための手段】
【００１０】
本発明の増設ユニットは、筐体、開口及び第１搬送経路を有し、前記筐体に前記開口が設けられ、前記筐体内に前記第１搬送経路が設けられ、前記第１搬送経路の終端に前記開口が配置される、シート収容部と、台座と、側面とを有する支持部であって、前記台座は、前記筐体の上側に設けられ、前記開口を除く前記筐体の上部の少なくとも一部を覆い且つ、画像形成装置本体又は他の増設ユニットの下部が当接し、前記側面は、前記台座と固定され、前記筐体の側面に面する支持部と、を備え、前記台座には、前記画像形成装置本体又は前記他の増設ユニットの下側に設けられた位置決め部と互いに固定される、第１位置決め部が設けられ、前記第１搬送経路の幅方向の所定位置である基準位置を通り且つ、第１搬送経路の幅方向に直交する面を第１基準面とすると、前記第１位置決め部は、前記第１基準面から第１距離離間した位置に位置し、更に、前記幅方向に沿って前記側面を貫通し一端側が前記筐体の側面と固定される棒状部材を有し、前記棒状部材を前記幅方向に移動させることにより、前記第１位置決め部の位置を、前記幅方向に移動可能とする第１シート収容部位置調整部を備える。
【００１１】
上記の構成によれば、第１シート収容部位置調整部を動かすことにより支持部を幅方向に変位させることができるので、支持部に設けられた第１位置決め部を所望の位置に調整することができる。第１位置決め部の位置を調整することによって、増設ユニットから画像形成装置本体又は他の増設ユニットへ搬送される際のシートの幅方向の位置が変位する。
【００１２】
また、本発明の増設ユニットは、筐体、開口及び第１搬送経路を有し、前記筐体に前記開口が設けられ、前記筐体内に前記第１搬送経路が設けられ、前記第１搬送経路の終端に前記開口が配置される、シート収容部と、前記筐体の上側に設けられ、前記開口を除く前記筐体の上部の少なくとも一部を覆い且つ、画像形成装置本体又は他の増設ユニットの下部が当接する台座を有し、前記筐体とは別体に設けられ且つ、前記筐体を包含し、前記台座が上面となる第２筐体と、を備え、前記台座には、前記画像形成装置本体又は前記他の増設ユニットの下部に設けられた位置決め部と互いに固定される、第１位置決め部が設けられ、前記第１搬送経路の幅方向の所定位置である基準位置を通り且つ、第１搬送経路の幅方向に直交する面を第１基準面とすると、前記第１位置決め部は、前記第１基準面から第１距離離間した位置に位置し、更に、前記幅方向に沿って前記第２筐体の側面を貫通し一端側が前記筐体の側面と固定される第２棒状部材を有し、前記第２棒状部材を前記幅方向に前記筐体に対して相対的に移動させることにより、前記幅方向に前記筐体を移動可能とする第２シート収容部位置調整部を備える。
【００１３】
上記の構成によれば、第２シート収容部位置調整部を動かすことによりシート収容部を幅方向に変位させることができるので、第２筐体に設けられた第１位置決め部に対してシート収容部を所望の位置に調整することができる。このシート収容部の位置を調整することによって、増設ユニットから画像形成装置本体又は他の増設ユニットへ搬送される際のシートの幅方向の位置が変位する。
【発明の効果】
【００１４】
本発明によれば、第１シート収容部位置調整部を動かすことにより、増設ユニットの第１搬送経路の幅方向における基準位置と、増設ユニットの上面に設けられる画像形成装置本体、又は、他の増設ユニットの搬送経路の幅方向における基準位置とのずれを、調整することができる。
【００１５】
また本発明によれば、第２シート収容部位置調整部を動かすことにより、増設ユニットの第１搬送経路の幅方向における基準位置と、増設ユニットの上面に設けられる画像形成装置本体、又は、他の増設ユニットの搬送経路の幅方向における基準位置とのずれを、調整することができる。
【図面の簡単な説明】
【００１６】
【図１】一実施形態の画像形成装置の正面図である。
【図２】図１の中央断面の概略図である。
【図３】第１実施形態の増設ユニットにおける位置決めに関する部分を示す図であり、（ａ）はその平面図、（ｂ）はその正面図、（ｃ）はその右側面図である。
【図４】第１実施形態の増設ユニットにおける位置決めに関する部分を示す正面図であり、（ａ）は支持部が最も左方に変位した状態を示す図であり、（ｂ）は支持部が最も右方に変位した状態を示す図である。
【図５】第２実施形態の増設ユニットにおける位置決めに関する部分を示す図であり、（ａ）はその平面図、（ｂ）はその正面図、（ｃ）はその右側面図である。
【図６】第２実施形態の増設ユニットにおける位置決めに関する部分を示す正面図であり、（ａ）は第１シート収容部が最も右方に変位した状態を示す図であり、（ｂ）は第１シート収容部が最も左方に変位した状態を示す図である。
【図７】第１実施形態の基準位置調整方法を説明する画像形成装置の簡略正面図であり、（ａ）は調整前の状態を示す図、（ｂ）は調整後の状態を示す図である。
【図８】第２実施形態の基準位置調整方法を説明する画像形成装置の簡略正面図であり、（ａ）は調整前の状態を示す図、（ｂ）は調整後の状態を示す図である。
【発明を実施するための形態】
【００１７】
［画像形成装置の外観構成］
図１は一実施形態の画像形成装置の正面図である。以下の説明では、図１に示すように画像形成装置が使用可能に設置された状態を基準とし、前後、左右、上下の各方向を定める。
【００１８】
画像形成装置１は、増設ユニット２と、画像形成装置本体３とを備える。増設ユニット２は、その上面２１に画像形成装置本体３を着脱可能に固定でき、画像形成装置本体３に供給するシートを収容するものである。増設ユニット２はシートカセット２２から画像形成装置本体３へシートを搬送することで供給する。
【００１９】
増設ユニット２は、カバー２３と、シートカセット２２と、支持台２４とを備えている。カバー２３は増設ユニットの外観を構成する略直方体形状の部材である。シートカセット２２は複数枚のシートを支持する箱体であり、増設ユニット２の前面から挿抜可能にカバー２３内に収容されている。本実施形態において、シートカセット２２は上下方向に４段備えられている。支持台２４は、増設ユニット２全体を支持する台２４１と、台２４１の底面の四隅を支持して設置面に設置される４つの脚２４２とを備えている。
【００２０】
画像形成装置本体３は、増設ユニット２の上面２１に置かれ、増設ユニット２から供給されるシートに画像を形成するものである。画像形成装置本体３は、本体筐体３１と、シートカセット３２とを備えている。本体筐体３１は画像形成装置本体３の外観を構成する略直方体形状の部材である。シートカセット３２は複数枚のシートを支持する箱体であり、画像形成装置本体３の前面から挿抜可能に本体筐体３１内に収容されている。
【００２１】
［画像形成装置の内部構成］
図２は図１の中央断面の概略図である。増設ユニット２はカバー２３内に４段積み重ねられたシート収容部を備えている。４段のシート収容部は、上から第１シート収容部４Ａ、第２シート収容部４Ｂ、第３シート収容部４Ｃ、第４シート収容部４Ｄとする。第１シート収容部４Ａの下部に配置される３段のシート収容部４Ｂ、４Ｃ、４Ｄは第２増設ユニットの一例である。第１シート収容部４Ａから第４シート収容部４Ｄは、略直方体形状の筐体４１と、筐体４１に収容されるシートカセット２２と、給紙ローラ４２とを有している。筐体４１の上面には搬送されるシートを通すための開口４１１が形成されている。シートカセット２２にはシートを支持し、上下方向に揺動可能な圧板４３が設けられている。
【００２２】
そして、第１シート収容部４Ａのシートカセット２２に収容されたシートは、圧板４３によって所定位置まで上昇させられ、給紙ローラ４２によって供給される。供給されたシートは筐体４１内の第１搬送経路４４に沿って搬送され、第１搬送経路４４の終端である開口４１１を通じて画像形成装置本体３へ搬送される。
【００２３】
また、第２シート収容部４Ｂから第４シート収容部４Ｄに収容されたシートは、圧板４３によって所定位置まで上昇させられ、給紙ローラ４２によって上段のシート収容部に供給される。供給されたシートは上段の筐体４１及びシートカセット２２を上下方向に貫通するように設けられた搬送経路４５に沿って搬送される。
【００２４】
一方、画像形成装置本体３はレーザプリンタであり、本体筐体３１内にシートカセット３２と、給紙ローラ３３と、画像形成部３４とを備え、本体筐体３１の上面に排出トレイ３５を備えている。シートカセット３２にはシートを支持し、上下方向に揺動可能な圧板３２１が設けられている。本体筐体３１の底面には、筐体４１の開口４１１と重なる位置に、シートを通すための開口３１１が形成されている。この開口３１１から排出トレイ３５までの間に複数の搬送ローラが配置され、シートが搬送される第２搬送経路３６が形成されている。
【００２５】
画像形成部３４は第２搬送経路３６の所定位置に位置する。画像形成部３４は、画像データに応じて感光体ドラムにレーザを照射するスキャナユニット３４１と、感光体ドラム３４３を備えシートに画像を形成するためのプロセスユニット３４２と、シートに転写されたトナーを熱定着させる定着ユニット３４４とを有している。なお、画像形成部３４の構成には特に限定はなく、インクジェット方式、サーマルヘッド方式などの構成を用いることもできる。
【００２６】
そして、シートカセット３２に収容されたシートは、圧板３２１によって所定位置まで上昇させられ、給紙ローラ３３によって第２搬送経路３６に供給される。また、増設ユニット２から搬送されてくるシートは、開口３１１を通じて画像形成装置本体３内の第２搬送経路３６に搬送される。このシートは、第２搬送経路３６に沿って搬送され、画像形成部３４によって画像が形成され、排出トレイ３５に排出される。
【００２７】
なお、シートは第１搬送経路４４及び第２搬送経路３６の幅方向である左右方向の基準位置に合わせて搬送される。本実施形態では、第１搬送経路４４及び第２搬送経路３６の幅方向の中心である搬送中心を基準位置とし、シートの幅方向の中心を搬送中心に合わせるように搬送する。また、第１搬送経路４４及び第２搬送経路３６の幅方向の一端を基準位置とし、シートの幅方向の一端を基準位置に合わせるように搬送してもよい。
【００２８】
［位置決めに関する構成］
図１に示すように、増設ユニット２の上面２１に設けられた円柱ピン形状の２つの第１位置決め部６１と、画像形成装置本体３の底面に設けられた円筒穴形状の２つの第２位置決め部３７とが係合することによって、増設ユニット２と画像形成装置本体３とが互いに固定されるとともに、位置決めされている。なお、互いに固定されるとは、はめ合わせるだけの形態も含まれる。
【００２９】
第１位置決め部６１は第１基準面２５から第１距離Ｄ１離間した位置に設けられる。第１基準面２５は、第１シート収容部４Ａにおける第１搬送経路４４の幅方向の所定位置である基準位置を通り且つ、第１搬送経路４４の幅方向に直交する面である。
【００３０】
本実施形態では、第１搬送経路４４における搬送中心を基準位置とし、第１基準面２５から左方向に第１距離Ｄ１離間した位置及び第１基準面２５から右方向に第１距離Ｄ１離間した位置にそれぞれ第１位置決め部６１が設けられている。なお、第１基準面２５から左右にそれぞれ延びる第１距離Ｄ１は異なる距離であってもよい。
【００３１】
第２位置決め部３７は第２基準面３８から第２距離離間した位置に設けられる。第２基準面３８は、第２搬送経路３６の幅方向の所定位置である基準位置を通り且つ、第２搬送経路３６の幅方向に直交する面である。
【００３２】
本実施形態では、第２搬送経路３６におけるシートの搬送中心を基準位置とし、第２基準面３８から左方向に第２距離Ｄ２離間した位置及び第２基準面３８から右方向に第２距離Ｄ２離間した位置にそれぞれ第２位置決め部３７が設けられている。なお、第２基準面３８から左右にそれぞれ延びる第２距離Ｄ２は異なる距離であってもよい。
【００３３】
また、第２シート収容部４Ｂから第４シート収容部４Ｄの上面及び支持台２４の上面にそれぞれ設けられた円柱ピン形状の２つの第３位置決め部４６と、第１シート収容部４Ａから第４シート収容部４Ｄの底面にそれぞれ設けられた円筒穴形状の２つの第４位置決め部４７とが係合することによって、第２シート収容部４Ｂから第４シート収容部４Ｄが固定されるとともに、位置決めされている。
【００３４】
第３位置決め部４６及び第４位置決め部４７は、第１位置決め部６１と同様に、第１基準面２５から第１距離Ｄ１離間した位置に設けられる。本実施形態では、第１基準面２５から左方向に第１距離Ｄ１離間した位置及び第１基準面２５から右方向に第１距離Ｄ１離間した位置にそれぞれ第３位置決め部４６及び第４位置決め部４７が設けられている。
【００３５】
なお、第１位置決め部及び第３位置決め部を穴形状とし、第２位置決め部及び第４位置決め部をピン形状としてもよい。また、第１位置決め部６１から第４位置決め部４７の数には特に限定はなく、それぞれ１つ以上であればよい。
【００３６】
［位置決めに関する増設ユニット側の実施形態］
増設ユニット２における位置決めの構成の詳細について、第１実施形態及び第２実施形態を例に説明する。
【００３７】
＜第１実施形態＞
図３は、第１実施形態の増設ユニット２における位置決めに関する部分を示す図であり、（ａ）はその平面図、（ｂ）はその正面図、（ｃ）はその右側面図である。図３では第１シート収容部４Ａのみの場合を示しているが、シート収容部が多段の場合も同様である。図３に示すように、増設ユニット２は、第１シート収容部４Ａと、支持部６と、第１シート収容部位置調整部７とを備えている。
【００３８】
（第１シート収容部）
第１シート収容部４Ａは、筐体４１に固定され、筐体４１の上面の一部及び前面の一部を構成する調節板５を備えている。調節板５は、上面を構成する上板５１と、右側面を構成する側板５２と、前面を構成する前板５３とを有する。上板５１は略矩形の平板であり、上述した開口４１１と、２つの案内孔５１１とを有する。案内孔５１１は、上板５１を上下方向に貫通し左右方向に延在する長孔であり、支持部６の案内ピン６５を左右方向に案内する。
【００３９】
側板５２は、上板５１の右端から下方向へ延びる矩形の平板であり、第１シート収容部位置調整部７と螺合する螺子穴５２１を有する。前板５３は、上板５１の前端から下方向へ延びる矩形の平板であり、固定螺子８と螺合する螺子穴５３１を有する。
【００４０】
（支持部）
支持部６は、調節板５の上板５１上に置かれ、増設ユニット２の上面２１を構成する台座６２と、支持部６の右側面を構成する側面６３と、支持部６の前面を構成する前面６４とを有する。台座６２は、開口４１１を除く筐体４１の上部の少なくとも一部を覆う平板であり、開口４１１と重なる位置に開口６２１を有する。台座６２の上面には２つの第１位置決め部６１が設けられ、台座６２の底面には２つの案内ピン６５が設けられる。案内ピン６５は、例えば段付螺子であり、段部分が案内孔５１１と係合する。案内ピン６５は案内孔５１１に沿って左右方向に案内される。したがって、支持部６は調節板５上を左右方向に変位可能である。
【００４１】
側面６３は、筐体４１の側面である側板５２に面し、台座６２の右端から下方向へ延びる矩形の平板であり、第１シート収容部位置調整部７を挿通させた状態で支持する貫通孔６３１を有する。前面６４は、第１シート収容部位置調整部７が貫通する側面６３と異なる側面の一例であり、台座６２の前端から下方向へ延びる矩形の平板であり、案内孔６４１を有する。
【００４２】
前面６４は、調節板５の前板５３の前面と接触し、案内孔６４１が前板５３の螺子穴５３１と重なる位置に配置される。案内孔６４１は、前面６４を前後方向に貫通し左右方向に延在する長孔であり、固定螺子８を挿通させた状態で支持する。支持部６を左右方向に変位させることにより、案内孔６４１が固定螺子８に沿って左右方向に変位する。そして、固定螺子８を締め付けることにより、支持部６を調節板５に安定して固定することができる。
【００４３】
（第１シート収容部位置調整部）
第１シート収容部位置調整部７は、左右方向に沿って側面６３を貫通する棒状部材を有する。棒状部材の一端側である左側が筐体４１の側面である側板５２と固定される。そして、棒状部材を左右方向に移動させることにより、第１位置決め部６１の位置を、左右方向に移動可能とする。
【００４４】
本実施形態において、第１シート収容部位置調整部７は段付螺子であり、段付螺子の凹んだ段部分が側面６３の貫通孔６３１と係合することによって側面６３に回転可能に支持されている。また、段付螺子の螺子部分は調節板５の螺子穴５２１に螺合している。そして、段付螺子を締める方向又は緩める方向に回すことにより、支持部６が左又は右方向に変位する。このように、第１シート収容部位置調整部７として段付螺子等の螺子を用いることにより、螺子を回転させる簡単な操作で支持部６を変位させることができる。
【００４５】
（支持部の変位）
次に、支持部６を変位させる操作について、図３（ｂ）と図４を参照して説明する。図４は第１実施形態の増設ユニット２における位置決めに関する部分を示す正面図であり、（ａ）は支持部６が最も左方に変位した状態を示す図であり、（ｂ）は支持部６が最も右方に変位した状態を示す図である。
【００４６】
図３（ｂ）に示すように、支持部６が調節板５に対して左右に均等に変位可能な中央位置にある状態から、固定螺子８を緩めて第１シート収容部位置調整部７を締める方向に回転させると、第１シート収容部位置調整部７が調節板５の螺子穴５２１を左方向に進んでいく。これにより、第１シート収容部位置調整部７が支持部６の側面６３を左方向に押し、案内ピン６５が案内孔５１１に沿って左方向に変位する。すなわち、支持部６が左方向に変位する。
【００４７】
そして、図４（ａ）に示すように、支持部６は、側面６３が調節板５の側板５２に当接する位置まで変位可能である。支持部６とともに第１位置決め部６１も左方向に移動するので、左側の第１位置決め部６１は第１基準面２５から第３距離Ｄ３離間した位置に移動し、右側の第１位置決め部６１は第１基準面２５から第４距離Ｄ４離間した位置に移動する。
【００４８】
一方、支持部６が図３（ｂ）に示す中央位置にある状態から、固定螺子８を緩めて第１シート収容部位置調整部７を緩める方向に回転させると、第１シート収容部位置調整部７が調節板５の螺子穴５２１を右方向に進んでいく。これにより、第１シート収容部位置調整部７が支持部６の側面６３を右方向に押し、案内ピン６５が案内孔５１１に沿って右方向に変位する。すなわち、支持部６が右方向に変位する。
【００４９】
そして、図４（ｂ）に示すように、支持部６は、第１シート収容部位置調整部７の螺子先が調節板５の螺子穴５２１に螺合する位置まで変位可能である。支持部６とともに第１位置決め部６１も右方向に移動するので、左側の第１位置決め部６１は第１基準面２５から第５距離Ｄ５離間した位置に移動し、右側の第１位置決め部６１は第１基準面２５から第６距離Ｄ６離間した位置に移動する。
【００５０】
このように、第１実施形態の増設ユニット２によれば、第１シート収容部位置調整部７を回転させることにより支持部６を左右方向に変位させることができるので、支持部６に設けられた第１位置決め部６１を所望の位置に調整することができる。この第１位置決め部６１の位置を調整することによって、増設ユニット２から画像形成装置本体３へ搬送される際のシートの左右方向の位置が変位する。
【００５１】
したがって、増設ユニット２を構成する各部品や画像形成装置本体３を構成する各部品がそれぞれ持つ部品公差や、増設ユニットと、画像形成装置本体３とが装着された際のガタなどによって生じる組み付け誤差等によって第１シート収容部４Ａと画像形成装置本体３との左右方向における相対位置にずれがある場合でも、第１シート収容部位置調整部７を回転させることにより、増設ユニット２から搬送されるシートの左右方向の位置を画像形成装置本体３の規定の位置に合わせることができる。その結果、シートを詰まらせずに搬送できるとともに、シートの左右方向の画像形成位置を規定の位置に合わせることができる。
【００５２】
＜第２実施形態＞
図５は、第２実施形態の増設ユニット２Ａにおける位置決めに関する部分を示す図であり、（ａ）はその平面図、（ｂ）はその正面図、（ｃ）はその右側面図である。図５では第１シート収容部４Ａのみの場合を示しているが、シート収容部が多段の場合も同様である。図５に示すように、増設ユニット２Ａは、第１シート収容部４Ａと、第２筐体９と、第２シート収容部位置調整部７Ａとを備えている。本実施形態の第１シート収容部４Ａは第１実施形態の第１シート収容部４Ａと同部材であるので詳細な説明を省略する。また、第１実施形態の部材と同部材には同符号を付し、その詳細な説明を省略する。
【００５３】
（第２筐体）
第２筐体９は、筐体４１とは別体に設けられ、かつ、筐体４１を包含する部材である。第２筐体９は、調節板５の上板５１上に置かれ、増設ユニット２Ａの上面を構成する台座９２と、第２筐体９の右側面を構成する側面９３と、筐体４１の底面を支持する底面９６と、第２筐体９の前面を構成する前面９４とを有する。台座９２は、開口４１１を除く筐体４１の上部の少なくとも一部を覆う平板であり、開口４１１と重なる位置に開口９２１を有する。
【００５４】
台座９２の上面には２つの第１位置決め部６１が設けられ、台座９２の底面には２つの案内ピン６５が設けられる。案内ピン６５は、例えば段付螺子であり、段部分が案内孔５１１と係合する。案内孔５１１は案内ピン６５に沿って左右方向に案内される。したがって、調節板５が固定されている第１シート収容部４Ａは、第２筐体９内で左右方向に変位可能である。
【００５５】
側面９３は、筐体４１の側面である側板５２に面し、台座９２の右端から下方向へ延びる矩形の平板であり、第１シート収容部位置調整部７を挿通させた状態で支持する貫通孔９３１を有する。底面９６は、側面９３の下端から左方向へ延びる矩形の平板であり、筐体４１の底面を支持する。底面９６は支持台２４の上面に固定されている。
【００５６】
前面９４は、第２シート収容部位置調整部７Ａが貫通する側面９３と異なる側面の一例であり、台座９２の前端から下方向へ延びる矩形の平板であり、案内孔９４１を有する。
【００５７】
前面９４は、調節板５の前板５３の前面と接触し、案内孔９４１が前板５３の螺子穴５３１と重なる位置に配置される。案内孔９４１は、前面９４を前後方向に貫通し左右方向に延在する長孔であり、固定螺子８を挿通させた状態で支持する。調節板５を左右方向に変位させることにより、固定螺子８が案内孔６４１に沿って左右方向に変位する。そして、固定螺子８を締め付けることにより、調節板５を第２筐体９に安定して固定することができる。
【００５８】
（第２シート収容部位置調整部）
第２シート収容部位置調整部７Ａは第１シート収容部位置調整部７と同部材である。すなわち、第２シート収容部位置調整部７Ａは、左右方向に沿って側面９３を貫通する第２棒状部材を有する。第２棒状部材の一端側である左側が筐体４１の側面である側板５２と固定される。そして、第２棒状部材を筐体４１に対して相対的に左右方向に移動させることにより、筐体４１を左右方向に移動可能とする。これにより、第１基準面２５が左右方向に移動するため、第１位置決め部６１の位置は、第１基準面２５から第１距離Ｄ１離間した位置から移動する。
【００５９】
本実施形態において、第２シート収容部位置調整部７Ａは段付螺子であり、段付螺子の凹んだ段部分が側面９３の貫通孔９３１と係合することによって側面９３に回転可能に支持されている。また、段付螺子の螺子部分は調節板５の螺子穴５２１に螺合している。そして、段付螺子を締める方向又は緩める方向に回すことにより、調節板５が左又は右方向に変位する。このように、第２シート収容部位置調整部７Ａとして段付螺子等の螺子を用いることにより、螺子を回転させる簡単な操作で調節板５を有する第１シート収容部４Ａを変位させることができる。
【００６０】
（シート収容部の変位）
次に、第１シート収容部４Ａを変位させる操作について、図５（ｂ）と図６を参照して説明する。図６は第２実施形態の増設ユニット２Ａにおける位置決めに関する部分を示す正面図であり、（ａ）は第１シート収容部４Ａが最も右方に変位した状態を示す図であり、（ｂ）は第１シート収容部４Ａが最も左方に変位した状態を示す図である。
【００６１】
図５（ｂ）に示すように、第１シート収容部４Ａが第２筐体９に対して左右に均等に変位可能な中央位置にある状態から、固定螺子８を緩めて第２シート収容部位置調整部７Ａを締める方向に回転させると、第２シート収容部位置調整部７Ａは第２筐体９に支持されているため移動せず、調節板５が右方向に進んでいく。これにより、案内孔５１１が案内ピン６５に沿って右方向に変位する。すなわち、第１シート収容部４Ａが右方向に変位する。
【００６２】
そして、図６（ａ）に示すように、第１シート収容部４Ａは、側板５２が第２筐体９の側面９３に当接する位置まで変位可能である。第１シート収容部４Ａとともに第１基準面２５も右方向に移動するので、左側の第１位置決め部６１は第１基準面２５から第７距離Ｄ７離間した位置に移動し、右側の第１位置決め部６１は第１基準面２５から第８距離Ｄ８離間した位置に移動する。
【００６３】
一方、第１シート収容部４Ａが図５（ｂ）に示す中央位置にある状態から、固定螺子８を緩めて第２シート収容部位置調整部７Ａを緩める方向に回転させると、第２シート収容部位置調整部７Ａは第２筐体９に支持されているため移動せず、調節板５が左方向に進んでいく。これにより、案内孔５１１が案内ピン６５に沿って左方向に変位する。すなわち、第１シート収容部４Ａが左方向に変位する。
【００６４】
そして、図６（ｂ）に示すように、第１シート収容部４Ａは、第２シート収容部位置調整部７Ａの螺子先が調節板５の螺子穴５２１に螺合する位置まで変位可能である。第１シート収容部４Ａとともに第１基準面２５も左方向に移動するので、左側の第１位置決め部６１は第１基準面２５から第９距離Ｄ９離間した位置に移動し、右側の第１位置決め部６１は第１基準面２５から第１０距離Ｄ１０離間した位置に移動する。
【００６５】
このように、第２実施形態の増設ユニット２Ａによれば、第２シート収容部位置調整部７Ａを回転させることにより第１シート収容部４Ａを左右方向に変位させることができるので、第２筐体９に設けられた第１位置決め部６１に対して第１シート収容部４Ａを所望の位置に調整することができる。この第１シート収容部４Ａの位置を調整することによって、増設ユニット２Ａから画像形成装置本体３へ搬送される際のシートの左右方向の位置が変位する。
【００６６】
したがって、増設ユニット２Ａを構成する各部品や画像形成装置本体３を構成する各部品がそれぞれ持つ部品公差や、増設ユニットと、画像形成装置本体３とが装着された際のガタなどによって生じる組み付け誤差等によって第１シート収容部４Ａと画像形成装置本体３との左右方向における相対位置にずれがある場合でも、第２シート収容部位置調整部７Ａを回転させることにより、増設ユニット２Ａから搬送されるシートの左右方向の位置を画像形成装置本体３の規定の位置に合わせることができる。その結果、シートを詰まらせずに搬送できるとともに、シートの左右方向の画像形成位置を規定の位置に合わせることができる。
【００６７】
［基準位置調整方法］
上記の画像形成装置１において、シートの左右方向の画像形成位置が規定の位置に近づくように、画像形成装置本体３と第２増設ユニットと増設ユニット２、２Ａの各搬送経路の幅方向の基準位置を調整する基準位置調整方法は、以下の各工程からなる。
【００６８】
第１の工程は、増設ユニット２、２Ａと増設ユニット２、２Ａの下側に設けられた第２増設ユニットとの各基準面のずれ量を決定する増設ユニット間ずれ決定工程である。第２の工程は、第２増設ユニットと増設ユニット２、２Ａとがいずれの幅方向にずれているか否かを決定するずれ方向決定工程である。第３の工程は、シート収容部位置調整部７、７Ａを用いて、ずれ方向決定工程で決定されたずれ方向とは逆方向に、増設ユニット間ずれ決定工程にて決定されたずれ量分、変位させる変位工程である。
【００６９】
このように、第１から第３の工程によって調整することにより、複数段のシート収容部を備えた構成において、１つのシート収容部位置調整部７、７Ａで最適な位置に調整することができる。以下に、上述した第１実施形態の増設ユニット２の基準位置調整方法と、第２実施形態の増設ユニット２Ａの基準位置調整方法とについて詳しく説明する。
【００７０】
＜第１実施形態の基準位置調整方法＞
図７は第１実施形態の基準位置調整方法を説明する画像形成装置の簡略正面図であり、（ａ）は調整前の状態を示す図、（ｂ）は調整後の状態を示す図である。第１シート収容部４Ａの第１基準面２５及び画像形成装置本体３の第２基準面３８と同様に、第２シート収容部４Ｂの基準面を第３基準面２６、第３シート収容部４Ｃの基準面を第４基準面２７、第４シート収容部４Ｄの基準面を第５基準面２８と定義する。
【００７１】
まず、図７（ａ）の状態において、作業者は第１の工程及び第２の工程を実行する。すなわち、作業者は、第２基準面３８に対して第１基準面２５、第３基準面２６、第４基準面２７、第５基準面２８が左右方向にどれだけずれているかを求める。図７（ａ）において、第１基準面２５はずれ量が０であり、第３基準面２６は右方向に第１ずれ量だけずれており、第４基準面２７は右方向に第２ずれ量だけずれており、第５基準面２８は右方向に第３ずれ量だけずれている。
【００７２】
次に、作業者は、最も左にずれている基準面と最も右にずれている基準面との中間の仮想面が、第２基準面から左右どちらの方向にどれだけずれているかを求める。図７（ａ）において、基準面は第１基準面２５であり、最も右にずれている基準面は第５基準面２８である。よって、中間の仮想面２９は右方向に第４ずれ量Ｌだけずれている。
【００７３】
なお、作業者は直接各基準面を視認することはできない。そのため、例えば、作業者は各シート収容部から供給されたシートにおける画像形成位置を測定し、シートの幅方向の画像形成位置が規定の位置から左右どちらの方向にどれだけずれているかを求めることにより、間接的に各基準位置のずれ量を求めることができる。若しくは、各基準位置のずれ量を視認できるように、増設ユニット２に目盛りを設けてもよい。
【００７４】
次に、作業者は第３の工程を実行する。すなわち、作業者は、シート収容部位置調整部７を回転させ、仮想面２９のずれ方向とは逆方向に、仮想面２９のずれ量分、変位させる。図７（ａ）の状態において、作業者はシート収容部位置調整部７を緩める方向に回転させ、支持部６を右方向に第４ずれ量Ｌ分、変位させる。これにより、画像形成装置本体３が右方向に第４ずれ量Ｌ分だけ変位し、図７（ｂ）の状態となる。
【００７５】
このとき、各シート収容部は画像形成装置本体３に対して相対的に左方向に第４ずれ量Ｌ分、変位したことになる。したがって、仮想面２９も同様に左方向に第４ずれ量Ｌ分、変位したことになる。よって、最もずれ量の大きかった第５基準面２８のずれ量が小さくなる。その結果、何れのシート収容部から供給されるシートも詰まりにくく、何れのシート収容部から供給されるシートの左右方向の画像形成位置も規定の位置に近い。
【００７６】
＜第２実施形態の基準位置調整方法＞
図８は第２実施形態の基準位置調整方法を説明する画像形成装置の簡略正面図であり、（ａ）は調整前の状態を示す図、（ｂ）は調整後の状態を示す図である。まず、図８（ａ）の状態において、作業者は第１の工程及び第２の工程を実行する。これらの工程は上述した第１実施形態と同様であるので説明を省略する。
【００７７】
次に、作業者は第３の工程を実行する。すなわち、作業者は、シート収容部位置調整部７Ａを回転させ、仮想面２９のずれ方向とは逆方向に、仮想面２９のずれ量分、変位させる。図８（ａ）の状態において、作業者はシート収容部位置調整部７Ａを緩める方向に回転させ、各シート収容部を左方向に第４ずれ量Ｌ分、変位させる。これにより、図８（ｂ）の状態となる。
【００７８】
このとき、仮想面２９も同様に左方向に第４ずれ量Ｌ分、変位する。よって、最もずれ量の大きかった第５基準面２８のずれ量が小さくなる。その結果、何れのシート収容部から供給されるシートも詰まりにくく、何れのシート収容部から供給されるシートの左右方向の画像形成位置も規定の位置に近い。
【００７９】
［変形例］
図３又は図５に示したようなシート収容部が１段である増設ユニットを複数段重ねる形態とすることもできる。この場合、各増設ユニットの底面に第２位置決め部と同様の位置決め部を設けることで増設ユニット同士を位置決めして固定することができる。また、各増設ユニットにシート収容部位置調整部が設けられるため、各増設ユニットの位置を個別に調整することができる。
【００８０】
［実施形態の効果］
上記の第１実施形態である増設ユニット２は、筐体４１、開口４１１及び第１搬送経路４４を有し、筐体４１に開口４１１が設けられ、筐体４１内に第１搬送経路４４が設けられ、第１搬送経路４４の終端に開口４１１が配置される、第１シート収容部４Ａを備える。また増設ユニット２は、台座６２と、側面６３とを有する支持部６であって、台座６２は、筐体４１の上側に設けられ、開口４１１を除く筐体４１の上部の少なくとも一部を覆い且つ、画像形成装置本体３又は他の増設ユニットの下部が当接し、側面６３は、台座６２と固定され、筐体４１の側面に面する支持部６を備える。台座６２には、画像形成装置本体３又は他の増設ユニットの下側に設けられた第２位置決め部３７と互いに固定される、第１位置決め部６１が設けられる。第１基準面２５は、第１搬送経路４４の幅方向の所定位置である基準位置を通り且つ、第１搬送経路４４の幅方向に直交する面である。第１位置決め部６１は、第１基準面２５から第１距離Ｄ１離間した位置に位置する。また増設ユニット２は、幅方向に沿って側面６３を貫通し一端側が筐体４１の側面と固定される棒状部材を有し、棒状部材を幅方向に移動させることにより、第１位置決め部６１の位置を、幅方向に移動可能とする第１シート収容部位置調整部７を備える。
【００８１】
この構成によれば、第１シート収容部位置調整部７を動かすことにより支持部６を幅方向に変位させることができるので、支持部６に設けられた第１位置決め部６１を所望の位置に調整することができる。この第１位置決め部６１の位置を調整することによって、増設ユニット２から画像形成装置本体３又は他の増設ユニットへ搬送される際のシートの幅方向の位置が変位する。したがって、増設ユニット２を構成する各部品や画像形成装置本体３又は他の増設ユニットを構成する各部品がそれぞれ持つ部品公差や、増設ユニット２と、画像形成装置本体３又は他の増設ユニットとが装着された際のガタなどによって生じる組み付け誤差等によって第１シート収容部４Ａと画像形成装置本体３又は他の増設ユニットとの幅方向における相対位置にずれがある場合でも、第１シート収容部位置調整部７を動かすことにより、増設ユニット２から搬送されるシートの幅方向の位置を画像形成装置本体３の規定の位置に合わせることができる。その結果、シートを詰まらせずに搬送できるとともに、シートの幅方向の画像形成位置を規定の位置に合わせることができる。
【００８２】
また上記の第２実施形態である増設ユニット２Ａは、筐体４１、開口４１１及び第１搬送経路４４を有し、筐体４１に開口４１１が設けられ、筐体４１内に第１搬送経路４４が設けられ、第１搬送経路４４の終端に開口４１１が配置される、第１シート収容部４Ａを備える。また増設ユニット２Ａは、筐体４１の上側に設けられ、開口４１１を除く筐体４１の上部の少なくとも一部を覆い且つ、画像形成装置本体３又は他の増設ユニットの下部が当接する台座９２を有し、筐体４１とは別体に設けられ且つ、筐体４１を包含し、台座９２が上面となる第２筐体９を備える。台座９２には、画像形成装置本体３又は他の増設ユニットの下側に設けられた第２位置決め部３７と互いに固定される、第１位置決め部６１が設けられる。第１基準面２５は、第１搬送経路４４の幅方向の所定位置である基準位置を通り且つ、第１搬送経路４４の幅方向に直交する面である。第１位置決め部６１は、第１基準面４４から第１距離Ｄ１離間した位置に位置する。また増設ユニット２は、幅方向に沿って第２筐体９の側面９３を貫通し一端側が筐体４１の側面と固定される第２棒状部材を有し、第２棒状部材を幅方向に筐体４１に対して相対的に移動させることにより、幅方向に筐体４１を移動可能とする第２シート収容部位置調整部７Ａを備える。
【００８３】
この構成によれば、第２シート収容部位置調整部７Ａを動かすことにより第１シート収容部４Ａを幅方向に変位させることができるので、第２筐体９に設けられた第１位置決め部６１に対して第１シート収容部４Ａを所望の位置に調整することができる。この第１シート収容部４Ａの位置を調整することによって、増設ユニット２Ａから画像形成装置本体３又は他の増設ユニットへ搬送される際のシートの幅方向の位置が変位する。したがって、増設ユニット２Ａを構成する各部品や画像形成装置本体３又は他の増設ユニットを構成する各部品がそれぞれ持つ部品公差や、増設ユニット２Ａと、画像形成装置本体３又は他の増設ユニットとが装着された際のガタなどによって生じる組み付け誤差等によって第１シート収容部４Ａと画像形成装置本体３又は他の増設ユニットとの幅方向における相対位置にずれがある場合でも、第２シート収容部位置調整部７Ａを動かすことにより、増設ユニット２Ａから搬送されるシートの幅方向の位置を画像形成装置本体３の規定の位置に合わせることができる。その結果、シートを詰まらせずに搬送できるとともに、シートの幅方向の画像形成位置を規定の位置に合わせることができる。
【００８４】
また上記の第１実施形態である増設ユニット２は、第１シート収容部位置調整部７は、幅方向に沿って側面６３を貫通する螺子であって、更に、螺子が貫通する側面６３と異なる側面である前面６４を貫通して第１シート収容部４Ａを固定する固定螺子８を有する。
【００８５】
この構成によれば、第１シート収容部位置調整部７を螺子とすることにより、螺子を回転させる簡単な操作で支持部６を変位させることができる。また、固定螺子８を設けることにより、支持部６を変位させた位置で安定して固定することができる。
【００８６】
また上記の第２実施形態である増設ユニット２Ａによれば、第２シート収容部位置調整部７Ａは、幅方向に沿って第２筐体９を貫通する螺子であって、更に、第２筐体９の螺子が貫通する側面９３と異なる側面である前面９４を貫通して第１シート収容部４Ａを固定する固定螺子８を有する。
【００８７】
この構成によれば、第２シート収容部位置調整部７Ａを螺子とすることにより、螺子を回転させる簡単な操作で第１シート収容部４Ａを変位させることができる。また、固定螺子８を設けることにより、第１シート収容部４Ａを変位させた位置で安定して固定することができる。
【００８８】
また上記の実施形態である画像形成装置１は、増設ユニット２又は２Ａと、増設ユニット２又は２Ａの台座に置かれる画像形成装置本体３とを備える画像形成装置１である。画像形成装置本体３は、底面に本体側の開口３１１が設けられ、シートが搬送される搬送経路である第２搬送経路３６の始端が開口３１１である本体筐体３１と、第２搬送経路３６の所定位置に位置する画像形成部３４と、を備える。本体筐体３１の底面には、第２搬送経路３６の幅方向の所定位置である基準位置を通り且つ、第２搬送経路３６の幅方向に直交する面である第２基準面３８から第２距離Ｄ２離間した位置に、第１位置決め部６１と互いに固定される、第２位置決め部３７が設けられる。
【００８９】
この構成によれば、上記の増設ユニット２又は２Ａを備えた画像形成装置１を提供することができる。
【００９０】
また上記の実施形態である画像形成装置１は、更に、第１シート収容部４Ａの下部にシート収容部のみで構成される第２増設ユニットが複数段、設けられる。
【００９１】
この構成によれば、複数のシート収容部を搭載する場合にも適用できる。
【００９２】
また上記の実施形態である基準位置調整方法は、画像形成装置１において、画像形成装置本体３と第２増設ユニットと増設ユニット２又は２Ａの各搬送経路の幅方向の基準位置を調整する調整方法である。この基準位置調整方法は、増設ユニット２又は２Ａと増設ユニット２又は２Ａの下側に設けられた第２増設ユニットとの各基準面のずれ量を決定する増設ユニット間ずれ決定工程を有する。また基準位置調整方法は、第２増設ユニットと増設ユニット２又は２Ａとがいずれの幅方向にずれているか否かを決定するずれ方向決定工程を有する。また基準位置調整方法は、螺子を用いて、ずれ方向決定工程で決定されたずれ方向とは逆方向に、増設ユニット間ずれ決定工程にて決定されたずれ量分、変位させる変位工程を有する。
【００９３】
この基準位置調整方法によれば、複数のシート収容部を備えた構成において、１つの螺子で最適な位置に調整することができる。
【符号の説明】
【００９４】
１          画像形成装置
２、２Ａ    増設ユニット
３          画像形成装置本体
４Ａ        第１シート収容部（シート収容部）
４Ｂ        第２シート収容部（第２増設ユニット）
４Ｃ        第３シート収容部（第２増設ユニット）
４Ｄ        第４シート収容部（第２増設ユニット）
６          支持部
７          第１シート収容部位置調整部
７Ａ        第２シート収容部位置調整部
８          固定螺子
９          第２筐体
２５        第１基準面
３１        本体筐体
３４        画像形成部
３６        第２搬送経路
３７        第２位置決め部
３８        第２基準面
４１        筐体
４４        第１搬送経路
６１        第１位置決め部
６２、９２  台座
６３        側面
３１１      開口
４１１      開口
Ｄ１        第１距離
Ｄ２        第２距離
【図１】
2018104159.tif 000003
【図２】
2018104159.tif 000004
【図３】
2018104159.tif 000005
【図４】
2018104159.tif 000006
【図５】
2018104159.tif 000007
【図６】
2018104159.tif 000008
【図７】
2018104159.tif 000009
【図８】
2018104159.tif 000010